(57)【要約】【課題】音声を中心としたコンテンツのダイジェストを作成可能で、検索性に優れたインデックス機能を備えた映像記録再生装置および映像記録再生方法を提供する。【解決手段】録画データ１４Ａとして、映像データ１４０、音声データ１４１、字幕データ１４２に加え、補助管理データ１４３および複数の静止画データ１４４ａからなる静止画データ群１４４が加えて保存される。静止画データ１４４ａは映像データ１４０および字幕データ１４２に基づいて作成されるデータであり、補助管理データ１４３は、静止画データ１４４ａそれぞれの再生タイミングを音声データ１４１の進行に基づいて指示する情報が格納されているデータである。【選択図】図３
2008288925.tif 000002
【特許請求の範囲】
【請求項１】
映像データ、音声データ、字幕データを記憶する記憶部と、
前記字幕データに基づいて前記映像データから静止画データを作成して前記記憶部に記憶させる制御部とを有し、
前記制御部は、前記音声データの進行に基づいて前記静止画データおよび前記字幕データを再生するための補助管理データを作成して前記記憶部に記憶させることを特徴とする映像記録再生装置。
【請求項２】
前記制御部は、前記字幕データの表示ごとに、前記字幕データの表示タイミングから所定の時間経過後の映像データをキャプチャして前記静止画データを作成することを特徴とする請求項１に記載の映像記録再生装置。
【請求項３】
前記制御部は、前記字幕データの表示内容に基づいて前記静止画データのファイル名を作成することを特徴とする請求項１に記載の映像記録再生装置。
【請求項４】
映像データ、音声データ、字幕データを情報として記憶する記憶部と、
前記記憶部内の前記情報の入出力に基づく通信を行う通信部と、
前記字幕データに基づいて前記映像データから静止画データを作成して前記情報として前記記憶部に記憶させる制御部とを有し、
前記制御部は、前記音声データの進行に基づいて前記静止画データおよび前記字幕データを再生するための補助管理データを作成して前記情報として前記記憶部に記憶させることを特徴とする映像記録再生装置。
【請求項５】
前記制御部は、前記静止画データを前記補助管理データが有する番組詳細情報とともにリスト表示することを特徴とする請求項４に記載の映像記録再生装置。
【請求項６】
前記制御部は、外部からの要求に応じて前記記憶部に記憶された前記情報を前記通信部を介して出力することを特徴とする請求項４に記載の映像記録再生装置。
【請求項７】
前記制御部は、外部からの要求に応じて前記記憶部に記憶されている前記情報としての前記静止画データおよび前記番組詳細情報を前記通信部を介して出力することを特徴とする請求項５に記載の映像記録再生装置。
【請求項８】
字幕データの表示タイミングに基づいて映像データから静止画データを抽出する抽出ステップと、
前記静止画データの表示タイミングを音声データに関連づける補助管理データを作成する補助管理ステップと、
前記映像データ、前記音声データ、前記字幕データ、前記静止画データ、および前記補助管理データを情報として記憶する記憶ステップとを有することを特徴とする映像記録再生方法。
【請求項９】
前記抽出ステップは、前記静止画データを抽出する際に、前記字幕データの表示内容に基づいて前記静止画データのファイル名を作成することを特徴とする請求項８に記載の映像記録再生方法。
【請求項１０】
前記補助管理ステップは、前記補助管理データに前記静止画データをリスト表示するためのリスト表示データを作成することを特徴とする請求項８に記載の映像記録再生方法。
【発明の詳細な説明】
【技術分野】
【０００１】
本発明は、映像記録再生装置および映像記録再生方法に関する。
【背景技術】
【０００２】
従来の技術として、映像を複数の静止画に変換してダイジェストとして出力する映像記録再生装置がある（例えば、特許文献１参照）。
【０００３】
この映像記録再生装置は、テレビ放送を受信する受信手段と、受信手段によって受信されたテレビ放送の映像データから静止画データを抽出する静止画抽出手段と、字幕データを抽出する字幕抽出手段と、字幕データの字幕進行に基づいて静止画データと字幕データとを合成して合成静止画データを生成する合成手段とを有する。
【０００４】
この映像記録再生装置は、テレビ放送の映像データを複数の合成静止画データに変換するため、通常録画において保存される映像データ、音声データ、字幕データ等のデータ容量に比べ、保存容量を大幅に削減することができる。また、合成静止画データに時刻情報を記録することで、通常録画において保存された録画データのインデックスとして利用することができる。
【特許文献１】特開２００７−６３０８号公報
【発明の開示】
【発明が解決しようとする課題】
【０００５】
しかし、従来の映像記録再生装置によると、合成静止画データは、音声データを記録しないため、音声を中心とした番組構成、例えば音楽番組等の番組視聴には適していない。また、インデックスとして利用する場合、合成静止画データを再生しなければ内容を参照できないため、検索性が低いという問題がある。
【０００６】
従って、本発明の目的は、音声を中心としたコンテンツのダイジェストを作成可能で、検索性に優れたインデックス機能を備えた映像記録再生装置および映像記録再生方法を提供することにある。
【課題を解決するための手段】
【０００７】
（１）本発明は上記目的を達成するため、映像データ、音声データ、字幕データを記憶する記憶部と、前記字幕データに基づいて前記映像データから静止画データを作成して前記記憶部に記憶させる制御部とを有し、前記制御部は、前記音声データの進行に基づいて前記静止画データおよび前記字幕データを再生するための補助管理データを作成して前記記憶部に記憶させることを特徴とする映像記録再生装置を提供する。
【０００８】
上記した構成によれば、音声データを再生しながら、その進行に沿って静止画データおよび字幕データを再生することで、音声を中心としたダイジェスト作成が可能となる。また、映像データを用いずに静止画データを用いることでダイジェストのデータ容量を低減できる。
【０００９】
（２）また、本発明は上記目的を達成するため、映像データ、音声データ、字幕データを情報として記憶する記憶部と、前記記憶部内の前記情報の入出力に基づく通信を行う通信部と、前記字幕データに基づいて前記映像データから静止画データを作成して前記情報として前記記憶部に記憶させる制御部とを有し、前記制御部は、前記音声データの進行に基づいて前記静止画データおよび前記字幕データを再生するための補助管理データを作成して前記情報として前記記憶部に記憶させることを特徴とする映像記録再生装置を提供する。
【００１０】
上記した構成によれば、（１）の効果を有するだけでなく、外部機器においてもダイジェストを再生できる。
【００１１】
（３）また、本発明は上記目的を達成するため、字幕データの表示タイミングに基づいて映像データから静止画データを抽出する抽出ステップと、前記静止画データの表示タイミングを音声データに関連づける補助管理データを作成する補助管理ステップと、前記映像データ、前記音声データ、前記字幕データ、前記静止画データ、および前記補助管理データを情報として記憶する記憶ステップとを有することを特徴とする映像記録再生方法を提供する。
【００１２】
上記した工程によれば、（１）と同様の効果を有する映像記録再生方法が可能となる。
【発明の効果】
【００１３】
本発明によれば、音声を中心としたダイジェストを作成でき、コンテンツの検索性を向上することができる。
【発明を実施するための最良の形態】
【００１４】
以下に、本発明の映像記録再生装置の実施の形態を、図面を参照して詳細に説明する。
【００１５】
〔第１の実施の形態〕
（構  成）
図１は、本発明の第１の実施の形態に関するホームネットワークを示す概略図である。
【００１６】
ホームネットワーク４は、映像を記録および再生可能な映像記録再生装置１と映像を再生可能な映像再生装置２とをネットワークケーブル４０で接続することで構成される。また、ホームネットワーク４は、例えば、ＤＬＮＡ（Digital Living Network Alliance）に準拠して構成される。
【００１７】
映像記録再生装置１は、アンテナ等を介してデジタルテレビ放送を受信可能で、受信した番組等のコンテンツを内部記録媒体に記録し、ネットワークケーブル４０を介して映像再生装置２にコンテンツを出力することができる。また、映像記録再生装置１は、外部メモリ４１、または点線で示すようにＢｌｕｅｔｏｏｔｈ（登録商標）等の無線手段を介して携帯機器３とデータを共有する。
【００１８】
図２Ａは、本発明の第１の実施の形態に関する映像記録再生装置の構成を示すブロック図である。
【００１９】
映像記録再生装置１は、アンテナ１０Ａを介してデジタルテレビ放送を受信してチャンネル選択するチューナ１０と、チューナ１０の出力を映像データ、音声データ、字幕データ等の種別に分別して処理するストリーム処理部１１と、ストリーム処理部１１の出力をデコードする等の動作をおこなうＭＰＥＧ（Moving Picture Experts Group）コーデック部１２と、外部に接続された表示装置等に映像信号および音声信号等を出力する出力部１３と、ＭＰＥＧコーデック部１２の出力を録画データ１４Ａとして保存するＨＤＤ１４と、外部メモリ４１を挿抜可能でＨＤＤ（Hard Disk Drive）１４から録画データ１４Ａを転送可能に構成されたメモリスロット４１Ａと、データを一時的に記憶するメモリ１５と、デジタルテレビ放送を録画する際に各部を制御する録画制御部１６Ａとデジタルテレビ放送を再生する際、または記録したコンテンツを再生する際に各部を制御する再生制御部１６Ｂとを有するＣＰＵ（Central Processing Unit）１６と、複数のスイッチ等からなり、それらの入力に基づいて映像記録再生装置１を操作する操作部１７と、外部機器とＬＡＮ（Local Area Network）ケーブル等で接続されて通信する通信部１８とを有する。各部は、バス１９によって相互に接続される。
【００２０】
図２Ｂは、本発明の第１の実施の形態に関する映像再生装置の構成を示すブロック図である。
【００２１】
映像再生装置２は、外部機器とＬＡＮケーブル等で接続されて通信する通信部１８と、通信部１８を介して外部機器から受信した映像データ、音声データおよび字幕データ等を復号化するＭＰＥＧデコーダ２１と、ＭＰＧＥデコーダ２１で符号化された信号を入力して外部に接続された表示装置等に映像信号および音声信号等を出力する出力部２２と、データを一時的に記憶するメモリ２３と、コンテンツ再生の際に各部を制御する再生制御部２４Ａを有するＣＰＵ２４と、複数のスイッチ等からなり、それらの入力に基づいて映像記録再生装置１を操作する操作部２５とを有する。各部は、バス２６によって相互に接続される。
【００２２】
図２Ｃは、本発明の第１の実施の形態に関する携帯機器の構成を示すブロック図である。
【００２３】
携帯機器３は、不揮発性メモリを使用したカード型の外部メモリ４１を挿抜可能で外部メモリ４１内のデータを読み書き可能に構成されたメモリスロット４１Ｂと、外部メモリ４１内の映像データ、音声データおよび字幕データ等を復号化するデコード部３０と、デコード部３０の出力を入力して表示部３１Ａおよびスピーカ３１Ｂにそれぞれ映像信号および音声信号を出力する出力部３１と、アンテナ３２Ａを介して無線基地局との通信を行う電話機能部３２と、データを一時的に記憶するメモリ３３と、コンテンツ再生の際に各部を制御する再生制御部３４Ａを有するＣＰＵ３４と、複数のスイッチ等からなりそれらの入力に基づいて携帯機器３を操作する操作部３５とを有する。各部は、バス３６によって相互に接続される。
【００２４】
図３は、本発明の第１の実施の形態に関する録画データの構成を示すブロック図である。
【００２５】
録画データ１４Ａは、ＨＤＤ１４に保存されるが、本実施の形態においては、通常録画の際に保存される映像データ１４０、音声データ１４１、字幕データ１４２に加えて補助管理データ１４３および複数の静止画データ１４４ａからなる静止画データ群１４４が保存される。静止画データ１４４ａは映像データ１４０および字幕データ１４２に基づいて作成されるデータであり、作成手順については後述する。補助管理データ１４３は、静止画データ１４４ａのそれぞれの再生タイミングを音声データ１４１の進行に基づいて指示する情報が格納されているデータである。
【００２６】
（動  作）
以下に、本発明の第１の実施の形態における映像記録再生装置の動作を各図を参照しつつ説明する。
【００２７】
まず、チューナ１０がアンテナ１０Ａを介して受信したデジタルテレビ放送をチャンネル選択して放送データをストリーム処理部１１へ出力する。ストリーム処理部１１は、放送データを映像データ、音声データおよび字幕データ等に分離してＭＰＥＧコーデック部１２へ出力する。映像データ、音声データおよび字幕データはＭＰＥＧコーデック部１２において復号化され、再生の際は、映像信号、音声信号および字幕信号が出力部１３へ出力される。出力部１３は、外部に接続された表示装置等に映像信号、音声信号および字幕信号を出力し、表示装置はそれらを処理して映像および音声を出力する。
【００２８】
また、録画の際は、ＭＰＥＧコーデック部１２の出力はＨＤＤ１４に入力されて、録画データ１４Ａとして保存される。なお、録画データ１４Ａは、ＭＰＥＧコーデック部１２において復号化されたものでなく、ＭＰＥＧコーデック部１２において再び符号化されたものを保存、またはＭＰＥＧコーデック部１２において復号化する前のデータを保存してもよい。
【００２９】
図４は、本発明の第１の実施の形態に関する静止画データの作成手順を示す概略図である。
【００３０】
映像記録再生装置１において、字幕データ１４２に基づいて字幕１４２Ａおよび字幕１４２Ｂが映像とともに再生される。字幕１４２Ａおよび字幕１４２Ｂの表示は、字幕表示タイミングｔＡおよび字幕表示タイミングｔＢであり、本実施の形態では、字幕表示タイミングｔＡから字幕表示タイミングｔＢの間を１つのシーンと定義する。字幕表示タイミングｔＡと字幕表示タイミングｔＢの中間をキャプチャタイミングｔＣとし、１つのシーンの代表として、ｔＣにおける静止画１４４Ｃを静止画データ１４４ａとして保存する。以上の動作を映像データ１４０のすべての字幕表示タイミングに対して実行し、複数の静止画データ１４４ａを作成する。なお、この静止画データ１４４ａには字幕１４２Ａを含まない。
【００３１】
図５は、本発明の第１の実施の形態に関する映像記録再生装置の動作を示すフローチャートである。
【００３２】
まず、ストリーム処理部１１において放送データが解析される（Ｓ１０）。次に、放送データから字幕データ１４２が分離されて、ＭＰＥＧコーデック部１２において字幕データ１４２から字幕補助パケットが検出される（Ｓ１１）。次に、録画制御部１６Ａは、字幕補助パケットに格納されている字幕内容を含む字幕情報と字幕表示タイミングを含む字幕時刻情報を取得する（Ｓ１２）。次に、録画制御部１６Ａは、字幕時刻情報に基づいてキャプチャタイミングｔＣを決定し、映像データ１４０からキャプチャタイミングｔＣにおける静止画をキャプチャする（Ｓ１３）。以上の動作を録画が終了するまでおこなうことで複数の静止画を生成し、複数の静止画データ１４４ａである静止画データ群１４４を、映像データ１４０、音声データ１４１、および字幕データ１４２とともにＨＤＤ１４に録画データ１４Ａとして保存する（Ｓ１４）。この時、静止画データ群１４４を再生する際に、静止画データ１４４ａそれぞれの表示タイミング等を制御するための補助管理データ１４３も同時に録画データ１４Ａ内に保存される。
【００３３】
録画データ１４Ａは、再生制御部１６Ｂの処理で再生され、再生された映像信号および音声信号は出力部１３を介して外部へ出力される。
【００３４】
図６は、本発明の第１の実施の形態に関する映像記録再生装置の動作を示すフローチャートである。
【００３５】
まず、再生制御部１６Ｂは、補助管理データ１４３を読み込んで静止画データ１４４ａのそれぞれの表示タイミングを取得する（Ｓ２０）。次に、再生制御部１６Ｂは、音声データ１４１を再生して音声信号を出力部へ入力し、出力部１３は外部へ音声信号を出力する（Ｓ２１）。次に、音声データ１４１の再生経過時間がｎ番目の字幕の表示タイミングになると（Ｓ２２；Ｙｅｓ）、ｎ番目の字幕を出力するとともに、ｎ番目の字幕に対応した静止画データ１４４ａを再生して出力する（Ｓ２３）。ｎ＋１番目の字幕の表示タイミングになるまではｎ番目の静止画データ１４４ａを表示し続ける（Ｓ２２；Ｎｏ）。
【００３６】
Ｓ２２およびＳ２３のステップは、すべての静止画データ１４４ａについて字幕の順で実行され（Ｓ２４；Ｎｏ）、すべての静止画データ１４４ａが再生を完了すると動作を終了する（Ｓ２４；Ｙｅｓ）。
【００３７】
（第１の実施の形態の効果）
上記した第１の実施の形態によると、映像データ１４０から字幕データ１４２に基づいて作成された複数の静止画データ１４４ａと、静止画データ１４４ａのそれぞれと音声データ１４１の再生タイミングを関連づけるために作成された補助管理データ１４３とを録画データ１４Ａとして保存したため、音声データ１４１の再生に合わせて静止画データ１４４ａのそれぞれと字幕データ１４２とを再生することができる。以上の構成および動作により、ダイジェストとしての録画データ１４Ａの保存データ容量を削減できるだけでなく、ダイジェスト再生において音声を再生できるため、音声の欠かせない番組等のダイジェストを作成することが可能となる。
【００３８】
〔第２の実施の形態〕
（構  成）
図７は、本発明の第２の実施の形態に関する録画データの構成を示すブロック図であり、（ａ）は、録画データの構成、（ｂ）は静止画データ群の格納を示す。なお、以下の説明において、第１の実施の形態と同一の構成および機能を有する部分については共通の符号を付している。
【００３９】
静止画データ１４４ａのそれぞれに静止画データファイル名１４４ｂが付与され、そのファイル名に表示タイミングにおける字幕を用いる。静止画データファイル名群１４４Ａは、複数の静止画データファイル名１４４ｂからなる。
【００４０】
補助管理データ１４３は、静止画データ群１４４および静止画データファイル名群１４４Ａの内容をリスト表示するためのリスト表示データ１４３Ａと、リスト表示データ１４３Ａと映像データ１４０、音声データ１４１および字幕データ１４２を関連づけするためのリスト管理データ１４３Ｂとを有する。リスト表示については後述する。
【００４１】
静止画データ群１４４は、コンテンツごとにフォルダ１４５に格納され、フォルダ名１４５Ａとして番組名や映画タイトル名等のコンテンツタイトルを用いる。
【００４２】
図８は、本発明の第２の実施の形態に関する静止画データ群のリスト表示例を示す概略図であり、（ａ）はファイルブラウザを用いた表示例、（ｂ）はリストブラウザを用いた表示例である。
【００４３】
図８（ａ）に示す表示画面１４６は、映像再生装置２が映像記録再生装置１の有するコンテンツ情報を参照した場合に、映像再生装置２の出力部２２に接続された表示装置に表示される映像である。ここでは、録画データ１４Ａのフォルダ１４５を参照している。
【００４４】
表示画面１４６は、一般的なファイルブラウザで表示した場合であり、フォルダ名１４５Ａおよびファイルの情報であるファイルアイコン１４４ｃ、静止画データファイル名１４４ｂ、容量１４４ｄ等が表示され、ファイル名１４４Ａとしては字幕内容が表示される。また、選択カーソル１４６Ａを操作部２５を介して操作することが可能で、選択した静止画データ１４４ａを再生することができる。また、表示内容はファイルブラウザの設定を変更して変えることができる。
【００４５】
図８（ｂ）に示す表示画面１４７は、リスト表示データ１４３Ａに対応したリストブラウザを用いて、映像再生装置２が映像記録再生装置１の有するコンテンツ情報を参照した場合に、映像再生装置２の出力部２２に接続された表示装置に表示される映像である。ここでは、録画データ１４Ａのフォルダ１４５を参照している。
【００４６】
表示画面１４７は、リスト表示データ１４３Ａに対応したリストブラウザで表示した例であり、番組タイトル、放送局名および記録日時等が表示される番組情報１４７Ａと、各項目を選択する選択枠１４７Ｂと、各静止画データ１４４ａに対応したサムネイル１４７Ｃと、ファイル名に対応する字幕１４７Ｄと、各静止画データ１４４ａが対応する映像データ１４０の再生経過時間を示す経過時間１４７Ｅとで構成される。また、選択枠１４７Ｂを操作部２５を介して操作することが可能で、選択した静止画データ１４４ａを再生することができる。また、静止画データ１４４ａに関連する再生経過時間から映像データ１４０を再生することもできる。再生形態はユーザーによって選択できる。また、表示内容はリストブラウザの設定を変更して変えることができる。
【００４７】
（動  作）
ホームネットワーク４内において、映像再生装置２から映像記録再生装置１のＨＤＤ１４に保存されているコンテンツの参照要求をすると、映像記録再生装置１から録画データ１４Ａのヘッダ情報等が通信部１８を介して出力される。ヘッダ情報は、映像再生装置２の通信部２０を介して受信され、ＣＰＵ２４において処理される。ＣＰＵ２４によって処理されたヘッダ情報は、出力部２２から外部に接続された表示装置へ映像信号および音声信号として出力される。
【００４８】
図９は、本発明の第２の実施の形態に関する映像記録再生装置の動作を示すフローチャートである。
【００４９】
まず、映像再生装置２は、ホームネットワーク４を介して映像記録再生装置１にアクセスし、操作部２５の操作に基づいて録画データ１４Ａから番組フォルダとしてフォルダ１４５を選択する（Ｓ３０）。フォルダ１４５を選択することで、フォルダ１４５のフォルダ内ファイル情報をヘッダとして取得し（Ｓ３１）、取得したフォルダ内ファイル情報に基づいて図８（ａ）に示すようにリスト表示をする（Ｓ３２）。選択カーソル１４６Ａによってファイルが選択されると（Ｓ３３）、映像再生装置２は、映像記録再生装置１から選択された静止画データ１４４ａを取得して再生する（Ｓ３４）。
【００５０】
図１０は、本発明の第２の実施の形態に関する映像記録再生装置の動作を示すフローチャートである。
【００５１】
まず、映像再生装置２の再生制御部２４Ａにリストブラウズ機能がインストールされている場合、リストブラウザ（図示せず）を起動する（Ｓ４０）。リストブラウザはＣＰＵ２４において実行される。リストブラウザが起動されると、映像記録再生装置１からリスト表示データ１４３Ａを取得する（Ｓ４１）。リスト表示データ１４３Ａを処理することにより図８（ｂ）に示すようにリスト表示をする（Ｓ４２）。選択枠１４７Ｂによってファイルが選択されると（Ｓ４３）、選択した静止画データ１４４ａに関連する映像データ１４０を再生するかどうかをユーザに確認する（Ｓ４４）。
【００５２】
ユーザが映像データ１４０の視聴を希望した場合（Ｓ４４；Ｙｅｓ）、補助管理データ１４３のリスト管理データ１４３Ｂを参照し（Ｓ４５）、選択した静止画データ１４４ａのシーンから映像データ１４０を再生する（Ｓ４６）。また、ユーザが映像データの視聴を希望しなかった場合（Ｓ４４；Ｎｏ）、選択された静止画データ１４４ａを再生する（Ｓ４７）。映像データ１４０または静止画データ１４４ａの再生とともにリストブラウザを終了する（Ｓ４８）。
【００５３】
（他の実施例）
図１１は、本発明の第２の実施の形態に関する携帯機器における表示例を示す概略図である。
【００５４】
携帯機器３は、表示部３１Ａを有し、外部メモリ４１の内容等を表示する。表示部３１Ａは、フォルダ名１４５Ａと、静止画データ１４４ａと、静止画データファイル名１４４ｂとを表示し、静止画データ１４４ａの右にカーソル３１ａが表示されている場合には次のシーンの静止画データ１４４ａを再生可能で、左にカーソル３１ａが表示されている場合には前のシーンの静止画データ１４４ａを再生可能である。なお、シーンの切り替えには操作部３５が用いられる。
【００５５】
携帯機器３は、メモリスロット４１Ｂを介して外部メモリ４１からフォルダ１４５内のデータを読み込むか、Ｂｌｕｅｔｏｏｔｈでの通信によってデータを受信する。再生制御部３４Ａによって静止画データ１４４ａが再生され、出力部３１を介して表示部３１Ａに出力される。操作部３５を操作することにより、静止画データ１４４ａをシーン順に再生していくことができる。なお、携帯機器３が音声データ１４１の再生に対応している場合は、補助管理データ１４３を読み込むことで音声データ１４１の再生進行に合わせて、自動で静止画データ１４４ａのシーンを切り替えて再生することができる。
【００５６】
（第２の実施の形態の効果）
上記した第２の実施の形態によると、静止画データ１４４ａのファイル名に字幕を用いたことで、ファイルブラウズの際に、静止画データ１４４ａを再生することなく字幕内容を表示することができ、静止画データ１４４ａの検索性、つまりシーンの検索性に優れる。
【００５７】
また、専用のリストブラウザを用いることで、静止画データ１４４ａのサムネイル表示、経過時間表示等の詳細表示ができるため、検索性がさらに向上する。また、リスト管理データ１４３Ｂの関連づけにより、映像データ１４０を静止画データ１４４ａのシーンから再生することができるため、インデックスとして利便性が高い。
【００５８】
また、上記した第２の実施の形態の他の実施例によると、静止画データファイル名１４４ｂに字幕内容を用いることで静止画データ１４４ａに字幕を重畳することなく字幕内容を表示可能なため、ダイジェストを作成する際の映像処理装置１の処理負担が軽減される。また、携帯機器３の再生能力に合わせて、録画データ１４Ａからデータを選択して転送することができるため、多くの機器に対応することができる。
【図面の簡単な説明】
【００５９】
【図１】本発明の第１の実施の形態に関するホームネットワークを示す概略図である。
【図２Ａ】本発明の第１の実施の形態に関する映像記録再生装置の構成を示すブロック図である。
【図２Ｂ】本発明の第１の実施の形態に関する映像再生装置の構成を示すブロック図である。
【図２Ｃ】本発明の第１の実施の形態に関する携帯機器の構成を示すブロック図である。
【図３】本発明の第１の実施の形態に関する録画データの構成を示すブロック図である。
【図４】本発明の第１の実施の形態に関する静止画データの作成手順を示す概略図である。
【図５】本発明の第１の実施の形態に関する映像記録再生装置の動作を示すフローチャートである。
【図６】本発明の第１の実施の形態に関する映像記録再生装置の動作を示すフローチャートである。
【図７】本発明の第２の実施の形態に関する録画データの構成を示すブロック図であり、（ａ）は、録画データの構成、（ｂ）は静止画データ群の格納を示す。
【図８】本発明の第２の実施の形態に関する静止画データ群のリスト表示例を示す概略図であり、（ａ）はファイルブラウザを用いた表示例、（ｂ）はリストブラウザを用いた表示例である。
【図９】本発明の第２の実施の形態に関する映像記録再生装置の動作を示すフローチャートである。
【図１０】本発明の第２の実施の形態に関する映像記録再生装置の動作を示すフローチャートである。
【図１１】本発明の第２の実施の形態に関する携帯機器における表示例を示す概略図である。
【符号の説明】
【００６０】
１…映像記録再生装置、２…映像再生装置、３…携帯機器、４…ホームネットワーク、１０…チューナ、１０Ａ…アンテナ、１１…ストリーム処理部、１２…ＭＰＥＧコーデック部、１３…出力部、１４…ＨＤＤ、１４Ａ…録画データ、１５…メモリ、１６…ＣＰＵ、１６Ａ…録画制御部、１６Ｂ…再生制御部、１７…操作部、１８…通信部、１９…バス、２０…通信部、２１…ＭＰＥＧデコーダ、２２…出力部、２３…メモリ、２４…ＣＰＵ、２４Ａ…再生制御部、２５…操作部、２６…バス、３０…デコード部、３１…出力部、３１Ａ…表示部、３１Ｂ…スピーカ、３１ａ…カーソル、３２…電話機能部、３２Ａ…アンテナ、３３…メモリ、３４…ＣＰＵ、３４Ａ…再生制御部、３５…操作部、３６…バス、４０…ネットワークケーブル、４１…外部メモリ、４１Ａ…メモリスロット、４１Ｂ…メモリスロット、１４０…映像データ、１４１…音声データ、１４２…字幕データ、１４２Ａ…字幕、１４２Ｂ…字幕、１４３…補助管理データ、１４３Ａ…リスト表示データ、１４３Ｂ…リスト管理データ、１４４…静止画データ群、１４４Ａ…静止画データファイル名群、１４４Ｂ…静止画、１４４Ｃ…静止画、１４４Ｄ…静止画、１４４ａ…静止画データ、１４４ｂ…静止画データファイル名、１４４ｃ…ファイルアイコン、１４４ｄ…容量、１４５…フォルダ、１４５Ａ…フォルダ名、１４６…表示画面、１４６Ａ…選択カーソル、１４７…表示画面、１４７Ａ…番組情報、１４７Ｂ…選択枠、１４７Ｃ…サムネイル、１４７Ｄ…字幕、１４７Ｅ…経過時間、ｔＡ…字幕表示タイミング、ｔＢ…字幕表示タイミング、ｔＣ…キャプチャタイミング
【図１】
2008288925.tif 000003
【図２Ａ】
2008288925.tif 000004
【図２Ｂ】
2008288925.tif 000005
【図２Ｃ】
2008288925.tif 000006
【図３】
2008288925.tif 000007
【図４】
2008288925.tif 000008
【図５】
2008288925.tif 000009
【図６】
2008288925.tif 000010
【図７】
2008288925.tif 000011
【図８】
2008288925.tif 000012
【図９】
2008288925.tif 000013
【図１０】
2008288925.tif 000014
【図１１】
2008288925.tif 000015